(57)【要約】可撓性本体（１２）、可撓性光学部品（１４）およびこの光学部品をこの本体に接続する弱化部分を備える、調節眼内レンズ（１０）。この可撓性光学部品（１４）は、レンズ本体に対して前後に可動である。この本体は、その遠位端に延びる、中心合わせおよび固定のためのループ（２４）を有し得る。上記弱化部分は、上記本体と上記光学部品との間の複数のストラップ、連続的なスカート、薄い部分、またはヒンジ状部分などであり得る。
2009527276.tif 000002
【特許請求の範囲】
【請求項１】
調節眼内レンズであって、該レンズは、可撓性本体および可撓性光学部品を備え、該可撓性光学部品は、該レンズ光学部品が該レンズ本体に対して前後に動くことを可能にする構造体によって該本体に設置されており、そして該本体によって囲まれている、レンズ。
【請求項２】
前記本体と前記光学部品との間に複数のストラップが存在する、請求項１に記載のレンズ。
【請求項３】
連続的なスカートが前記光学部品を囲み、該光学部品を前記レンズ本体に接続している、請求項１に記載のレンズ。
【請求項４】
前記本体の外側端部から延びるループをさらに備える、請求項１に記載のレンズ。
【請求項５】
前記本体の後面が隆起を備える、請求項１に記載のレンズ。
【請求項６】
調節眼内レンズであって、該レンズは、可撓性本体および可撓性光学部品を備え、該可撓性光学部品は、該光学部品と該本体との間に配置された複数の薄い可撓性ストラップによって該本体に設置されており、該ストラップは、半径方向の長さが約０．５ｍｍであり、厚さが約０．１ｍｍであり、そして該レンズは、該本体の端部に取り付けられた複数の固定ループを備える、レンズ。
【請求項７】
ハプティクを備え、該ハプティクは、前記レンズ本体内に弱化した薄い部分またはヒンジ状部分を備え、前記レンズ光学部品が、該レンズ光学部品を取り囲むレンズ本体部分を該ヒンジの中心に置いて、該ハプティクの外側端部に対して前後に動くことを可能にする、請求項６に記載のレンズ。
【請求項８】
前記ハプティクの外側端部が、前記レンズをしっかりと固定して中心合わせするループを備える、請求項６に記載のレンズ。
【請求項９】
前記光学部品が、毛様体筋の収縮と共に光学的に変形して近方視力を増強するように構成されている、請求項６に記載のレンズ。
【請求項１０】
前記レンズ本体が、ヒトの前水晶体包を該レンズ本体から分離するための前突出部を有し、これによって、毛様体筋の収縮の際に前記光学部品が前方に動くための空間を作製する、請求項６に記載のレンズ。
【発明の詳細な説明】
【背景技術】
【０００１】
（背景）
眼内レンズは、多年にわたって、ループが光学部品に取り付けられた単一の光学部品の設計を有し、このループが、このレンズを中心に合わせ、そしてこのレンズをヒトの眼の空の皮膜袋内に固定する。８０年代中盤には、プレートレンズが導入された。プレートレンズは、長さ１０．５ｍｍ、光学部品６ｍｍのシリコーンレンズを備えた。これらのレンズは、折り畳み可能であったが、皮膜袋内で充分に固定されず、前皮膜と後皮膜との間のポケットに入れられた。最初の折り畳み可能レンズは、全て、シリコーンから作製された。１９９０年代中盤には、レンズの光学部品としてアクリル材料が導入された。アクリルレンズは、まっすぐな縁部を有する両凸光学部品を構成した。このレンズを眼内で中心合わせされ、そしてこのレンズを皮膜袋内に固定するためのループが、このレンズに挿入された。
【０００２】
最近、調節眼内レンズが市場に導入されており、これらの調節眼内レンズは、一般に、改変されたプレートハプティクレンズであり、シリコーンプレートハプティクレンズと同様に、プレートと光学部品の後面との接合部の間に明確な境界を有さない。プレートハプティクレンズは、２個以上のプレートハプティクを有する眼内レンズであって、光学部品との接合部の合計が、この光学部品の周囲の４分の１以上を占める、眼内レンズであると定義され得る。
【０００３】
可撓性のアクリル材料は、眼の外科手術において、かなりの人気を得ている。例えば、２００３年には、移植された眼内レンズのうちの５０％より多くが、アクリル光学部品を有した。ヒドロゲルレンズもまた導入されている。アクリル材料とヒドロゲル材料とのいずれも、割れることなく複数回曲げることが不可能である。
【０００４】
繰り返しの曲げによって眼の軸に沿って光学部品を動かすことにより機能する調節レンズの出現は、レンズが作製され得る材料をいくらか制限した。シリコーンは、理想的な材料である。なぜなら、シリコーンは、可撓性であり、そしていかなる損傷も示さずにおそらく数百万回屈曲し得るからである。さらに、溝またはヒンジが、レンズ設計の一部として、光学部品に隣接してプレートを横切って配置され、ハプティクの外側端部に対する光学部品の動きを容易にし得る。この性質の例示的な調節レンズは、Ｊ．Ｓｔｕａｒｔ  Ｃｕｍｍｉｎｇの名義の特許文献１に開示されている。
【特許文献１】米国特許第６，３８７，１２６号明細書
【発明の開示】
【課題を解決するための手段】
【０００５】
（発明の要旨）
本発明によれば、レンズ本体および光学部品を有する新規形態の調節眼内レンズが提供され、このレンズは、「浮動ピストン光学部品」を備えると考えられ得、複数（例えば、４つ）のストラップまたはフィンガーを、レンズ本体と光学部品との間に有し、調節と共に生じる圧力勾配に応答するピストン様式で、この光学部品が前後に動くことを可能にする。
【０００６】
従って、本発明の特徴は、新規形態の調節レンズを提供することである。
【発明を実施するための最良の形態】
【０００７】
（好ましい実施形態の説明）
ここで図面を参照すると、図１は、レンズ本体またはプレート１２および光学部品１４を備える、本発明のレンズ１０の斜視図である。本体１２は、ハプティク１５を備える。本体１２および光学部品１４は、シリコーンまたは他の適切な可撓性材料から形成される。可撓性ストラップ１６が、本体１２と、光学部品１４の周囲または外径との間に提供される。これらのストラップは、半径方向の長さが０．５ｍｍであり得、そして厚さが０．１ｍｍであり得、これによって、これらのストラップにより支持される「ピストン光学部品」１４を本質的に作製する。なお別の反復において、このレンズは、連続的なスカートを有し得、このスカートは、光学部品を囲み、そしてこの光学部品をレンズ本体に接続する。光学部品１４は、代表的に、４．５ｍｍの直径を有し得、レンズ１０の全体の代表的な幅は、短い側で６．１ｍｍであり、そして長い側の端から端まで（固定フィンガーを含めない）までの代表的な長さは、１０．５ｍｍである。
【０００８】
本体１２および光学部品１４、ならびに外側の厚くされたフットプレート端部２０は、シリコーンまたは他の適切な可撓性材料から形成される。レンズ１０はまた、ポリミドまたは類似の材料の固定ループ２４を備える。ループからループまでの代表的な外側長さは、１１．５ｍｍである。厚くされた端部２０は、固定ループ２４をシリコーンに完全に包み、従って、ループ２４を保持するための強いマトリックスを提供する。このプレートの厚くされた領域のさらなる機能が存在する。これらの領域はまた、白内障が除去された後に、ヒトの水晶体の前皮膜を光学部品および後皮膜から離して持ち上げるように働く。このことは、皮膜の不透明化および収縮を減少させるように働き得る。
【０００９】
ストラップ１６は、擬小帯複合体として機能し、光学部品が前後に動くことを可能にする。約０．７ｍｍの幅のストラップは、光学部品１４を囲むレンズ本体１２の面における比較的弱い点であり、これによって、光学部品１４全体がその前方への並進運動で、その遠く後ろの位置から前方に脱出することを可能にする。この特徴は、光学部品１４の質量を、以下に記載されるように最小に維持することによって、増強される。この新たな機構は、レンズの他の特徴の効果を増幅し得る。いくつかの先行技術のレンズのように開口部を通して押す流体を満たされた嚢とは異なり、本発明のレンズは、プレートまたは本体１２の弱い領域（１６）を介して前後に動く、変形可能な中実光学部品を包含する。ハプティク１５を蝶番運動させる本体１２の前面のヒンジ１８は、毛様体筋の収縮に伴う光学部品の動きをさらに容易にする。
【００１０】
本発明のレンズを調節可能にする別の特徴は、光学部品１４が変形可能であり得、そして任意のレンズにおいて以前に確立されたよりも低いデュロメータを有するように構築され得ることである。周囲のプレート１２は、好ましくは、Ｅｙｅｏｎｉｃｓ  Ｉｎｃ．のＡＴ４５レンズ（デュロメータ４８）と類似の、より高いデュロメータの標準的な材料から作製される。光学部品１４自体は、レンズの構造的安定性に寄与することを要求されないので、光学部品１４は、非常に柔軟であり得る。前方への軸方向並進に加えて、調節を伴う光学部品１４の屈曲または変形は、度数変化を誘導する。このことは、光学部品の屈曲の減衰を生じ得る。この特徴は、光学部品を非常に薄く維持することによって、さらに増強される。なぜなら、より薄い光学部品は、付与される任意の所定のレベルの力について、厚い光学部品より大きく屈曲するからである。光学部品１４の中心の厚さの例示的な範囲は、１０〜３３のジオプトリー範囲について、約０．３８ｍｍ〜約１．０７ｍｍである。本発明のレンズの光学部品の代表的な通常のジオプトリーは、２２ジオプトリーであり、これは、０．７３ｍｍの厚さを有する。比較として、先に言及したＡＴ４５は、２２ジオプトリーにおいて、０．８８ｍｍの厚さを有し、そしてより新しいＡＴ−４５ＳＥは、０．９８ｍｍである。
【００１１】
例えば、０．１ｍｍ〜０．２ｍｍという減少した縁部厚さを有する、４．５ｍｍの直径の光学部品１４が提供され得る。その屈折率は増加し得、そしてこのことは、この特徴をなおさらに減衰させる。この光学部品１４が、ストラップによって、全ての子午線においてプレート１２に対して対称的に係留されるという事実は、曲率の度数変化もまた対称であり、すなわち、他のいくつかのレンズにおいて見出されるような乱視変化とは異なり、球面度数変化であることを意味し得る。光学部品の曲げは、新規な、ほとんど理解されていない現象であり、そして望ましくない光学的ひずみに遭遇し得、近距離または遠距離のいずれにおいても乏しい視力を生じ、この場合には、材料のデュロメータ−が増加される必要がある。
【００１２】
本発明のレンズは、鉗子または注入器を用いて容易に折り畳み可能であり得る。予め装填されたシステムが好ましい。
【００１３】
さらなる特徴は、図３および図７に見られ得るように、場合に応じてプレート１２および／またはハプティクのアームの背面（後面）への隆起４０の組み込みである。これらの隆起は、プレートを横断し、そしてレンズ本体の外周の周りで光学部品を完全に囲む。光学部品のストラップに隣接してプレートを横断する第一の隆起に中心合わせされた、さらなる隆起が存在する。これらの隆起の目的は、水晶体の上皮細胞がプレートまたは光学部品の後ろの領域に増殖することを防止することである。プレートレンズに関して、このことは、皮膜の収縮の発生を劇的に減少させ得る。上皮細胞は、プレートの下方に移動すること、および繊維収縮を起こすことを防止される。さらに、ループの方形縁部、プレートハプティクおよび光学部品の方形縁部は、プレートの側部から細胞が入り込むことに対してさらに保護する。
【００１４】
本発明の実施形態が図示および説明されたが、種々の改変が、本発明の範囲から逸脱することなくなされ得、そしてこのような全ての改変および均等物が網羅されることが意図される。
【図面の簡単な説明】
【００１５】
【図１】図１は、本発明によるレンズの前面の斜視図である。
【図２】図２は、前面の平面図である。
【図３】図３は、レンズの後面の平面図である。
【図４】図４は、側面図である。
【図５】図５は、端面図である。
【図６】図６は、図２の線６−６に沿った断面図である。
【図７】図７は、レンズの後面の斜視図である。
【図１】
2009527276.tif 000003
【図２】
2009527276.tif 000004
【図３】
2009527276.tif 000005
【図４】
2009527276.tif 000006
【図５】
2009527276.tif 000007
【図６】
2009527276.tif 000008
【図７】
2009527276.tif 000009
【国際調査報告】
2009527276.tif 000010
2009527276.tif 000011
2009527276.tif 000012